(57)【特許請求の範囲】
【請求項１】
復帰用ばねによって上方への復帰習性が付与され上部に上側可動シンバルが取付けられた作動ロッドの下端をペダルに連結し、このペダルの踏込操作によって前記作動ロッドを上下動させるハイハットスタンドにおいて、前記作動ロッドの下端にローラリンクをその中央部を揺動自在に枢支させるとともに、このローラリンクの両端部に回転体をそれぞれ設け、これら回転体に一端が前記ペダルに接続され他端がペダルフレームに接続される伝達部材の中間部を掛け渡したことを特徴とするハイハットスタンド。
【請求項２】
請求項１記載のハイハットスタンドにおいて、
伝達部材をペダルフレームとペダルのいずれか一方に対して長さ調整機構により長さ調整可能に接続したことを特徴とするハイハットスタンド。
【発明の詳細な説明】
【０００１】
【発明の属する技術分野】
本発明は、ハイハットスタンドに関し、特に演奏性および応答性の良好なハイハットスタンドに関する。
【０００２】
【従来の技術】
ハイハットスタンドは、スタンド本体の上部に下側固定シンバルを設け、このスタンド本体内を摺動自在に貫通する作動ロッドの上部に上側可動シンバルを前記下側固定シンバルに対向させて設け、作動ロッドの下方に設けたペダルの踏込操作によって作動ロッドを下降させることにより上側可動シンバルが下側固定シンバルを打撃し演奏するものである。作動ロッドは復帰用ばねによって上方に付勢されており、このばね力に抗してペダルを踏込むようにしている。
【０００３】
復帰用ばねの強さは、ハイハットスタンドの演奏性および応答性を高める上できわめて重要である。何故なら、復帰用ばねのばね力が強過ぎるとペダルを強く踏み込まなければならないため、微妙なペダル操作によってシンバルを開閉させることが難しく、反対に弱過ぎるとペダルを軽く踏込むことができるため微妙なペダル操作が得られる反面、ペダルの戻りが遅いため素早い正確な動作が得られなくなるからである。そのため、演奏性および応答性のよいハイハットスタンドを得るためには、ペダルが軽く踏めてしかも速く戻ることが要求される。
【０００４】
このような観点から、実公昭６０−２７４２７号公報等に記載されているようにストラップと呼ばれるベルトまたはチェンによって作動ロッドとペダルを連結したり、あるいは作動ロッドとペダルを直接接続したハイハットスタンドにおいては、復帰用ばねの設定圧力と同じ大きさの踏込力でペダルを操作しなければならず、演奏性および応答性という点で問題があった。
【０００５】
そこで、このような従来の問題を解決するために、動滑車の原理を応用することによりばね力自体は強くてもペダルの踏込力を小さくし得るようにしたハイハットスタンドが知られている（特開平３−２５１８９５号公報）。このハイハットスタンドは、図４に示すように作動ロッド１の下端に回動軸２を共有して設けた動滑車として機能する大小２つの回動部材３Ａ，３Ｂからなるホイール部材３と、このホイール部材３に巻着された２本のチェーン４Ａ，４Ｂを介して作動ロッド１とペダル５を連結したものである。ホイール部材３としてはスプロケットが用いられ、大回動部材３Ａに一方のチェーン４Ａの一端を連結し、他端をペダルフレーム６に連結し、小回動部材４Ｂに他方のチェーン４Ｂの一端を連結し、他端をペダル５に連結している。なお、７は作動ロッド１の復帰用ばね、８Ａはスタンド本体の上部に設けられた下側固定シンバル、８Ｂは作動ロッド１の上部に設けられた上側可動シンバルである。
【０００６】
このような構成においては、従来と同じばね力Ｆの復帰用ばね７を用いた場合、作動ロッド１を引き下げるのに要する力Ｗ（＝Ｆ）よりペダル５の踏込力Ｐを小さくでき、また上側可動シンバル８Ｂを一定距離（ｈ）引き下げるのに要するペダル５の作動距離Ｈを大きくすることができる。なお、作動ロッド１を引き下げる力Ｗ、シンバル８Ｂの移動距離ｈ、ペダル５の踏込力Ｐおよびペダル５の作動距離Ｈとの間には、
ＰＨ＝Ｗｈの関係が成り立つ。
また、
Ｈ＝ｈ＋Ｘ／Ｙ・ｈ＝（１＋Ｘ／Ｙ）ｈ
ｈ＝Ｙ／（Ｘ＋Ｙ）Ｈ
Ｐ＝Ｙ／（Ｘ＋Ｙ）Ｗ
Ｗ＝（１＋Ｘ／Ｙ）Ｐ
となる。
【０００７】
ここで、小回動部材３Ｂの半径Ｘと大回動部材３Ａの半径Ｙとの比をＸ：Ｙ＝１：２とした場合は、
Ｐ＝２／３Ｗ
Ｈ＝３／２ｈ
となる。
【０００８】
大径回動部材３Ａに他方のチェーン４Ｂを連結し、小径回動部材３Ｂに一方のチェーン４Ａを連結してＸ：Ｙ＝２：１とした場合は、
Ｐ＝１／３Ｗ
Ｈ＝３ｈ
となる。
【０００９】
【発明が解決しようとする課題】
しかしながら、上記した従来のハイハットスタンドにおいては、動滑車の原理を応用していることから大きさが異る２つの回動部材３Ａ，３Ｂと長さが異なる２本のチェーン４Ａ，４Ｂを必要とするため、部品の種類が多く、その製作が面倒であるという問題があった。
また、大きな踏込力Ｐを得るために大回動部材３Ａの半径Ｙを大きくすると、必然的に高さも高くなるため、大回動部材３Ａとペダルフレーム６との間隔が狭くなり、実際にはペダル５の作動距離Ｈを大きくすることができないという問題があった。
【００１０】
本発明は上記した従来の問題点を解決するためになされたもので、その目的とするところは、復帰用ばねのばね力を変えないでペダルを軽く踏込むことができ、また部品の種類が少なく、ペダルの作動距離を大きくし得るようにしたハイハットスタンドを提供することにある。
【００１１】
【課題を解決するための手段】
上記目的を達成するために本発明は、復帰用ばねによって上方への復帰習性が付与され上部に上側可動シンバルが取付けられた作動ロッドの下端をペダルに連結し、このペダルの踏込操作によって前記作動ロッドを上下動させるハイハットスタンドにおいて、前記作動ロッドの下端にローラリンクをその中央部を揺動自在に枢支させるとともに、このローラリンクの両端部に回転体をそれぞれ設け、これら回転体に一端が前記ペダルに接続され他端がペダルフレームに接続される伝達部材の中間部を掛け渡したことを特徴とする。
本発明においては、１種類の回転体を２つ用いればよいので、回転体の種類を少なくすることができる。また、伝達部材が１つであるため、伝達部材の数も少なくすることができる。２つの回転体が同じであれば、回転体とペダルフレーム６との間隔を大きく設定することが可能で、ペダルの作動距離を大きくすることができる。
【００１２】
また、本発明は、伝達部材をペダルフレームとペダルのいずれか一方に対して長さ調整機構により長さ調整可能に接続したことを特徴とする。
本発明においては、長さ調整機構によって伝達部材の長さを調整することにより、ペダルの作動距離を変えることができる。
【００１３】
【発明の実施の形態】
以下、本発明を図面に示す実施の形態に基づいて詳細に説明する。
図１は本発明に係るハイハットスタンドの斜視図、図２は要部の断面図、図３は要部の側面図である。なお、従来技術の欄で示した構成部材等と同一のものについては同一の符号をもって示し、その説明を適宜省略する。これらの図において、ハイハットスタンド２０は、折畳み自在な三脚２１によって床面上に立設される中空のスタンド本体２２と、このスタンド本体２２内を摺動自在に貫通する作動ロッド１と、この作動ロッド１を上方へ付勢するばね装置２３と、スタンド本体２２の下部に配置されたペダル装置２４等を備え、スタンド本体２２の上部には下側固定シンバル８Ａが取付けられ、作動ロッド１の上部には上側可動シンバル８Ｂが取付けられている。
【００１４】
前記ばね装置２３は、スタンド本体２２の外周に固定されたパイプ２６と、このパイプ２６内に組み込まれ上端がパイプ２６に連結された復帰用ばね７と、前記パイプ２６の内部に下方から挿入され上端に前記復帰用ばね７の下端が連結されたスプリングロッド２８とを備え、このスプリングロッド２８が前記作動ロッド１の下端に取付けた連結部材２５に立設されている。
【００１５】
前記ペダル装置２４は、床面上に設置されたペダルフレーム６と、このペダルフレーム６のヒール３１に後端側が上下方向に回動自在に連結されたペダル５と、このペダル５の前端を前記作動ロッド１の下端に連結する伝達部材３２等で構成されている。
【００１６】
さらに作動ロッド１とペダル５の連結構造を図２および図３に基づいて詳述すると、前記連結部材２５には軸受部材３３を介してローラリンク３４が取付けられている。ローラリンク３４は、ペダル５の前後方向に長く形成されて中央が前記軸受部材３３に設けた回動軸３５によって上下方向に揺動自在に軸支され、前後端部にはピン３７によって回転自在に軸支された回転体３６Ａ，３６Ｂがそれぞれ設けられている。回転体３６Ａと３６Ｂは同一で、ローラリンク３４の揺動中心Ｏから一定距離離間して設けられている。
【００１７】
前記伝達部材３２は、一端が前記ペダル５の前端部に固定され、他端が前記ペダルフレーム６に一体に設けた連結部６Ａに長さ調整機構３８を介して連結され、中間部が前記回転体３６Ａ，３６Ｂに掛け渡されている。
【００１８】
ここで、本実施の形態においては、伝達部材３２としてベルトを用い、回転体３６Ａ，３６Ｂとしてローラを用いた例を示しているため、安価であるという利点があるが、これに限らず伝達部材３２としてチェーンベルトやタイミングベルトやワイヤーを用い、回転体３６Ａ，３６Ｂとしてスプロケットや歯付き車を用いてもよい。
【００１９】
前記長さ調整機構３８は、前記連結部６Ａに設けたねじ孔に貫通して螺合されたねじ体４１と、このねじ体４１を連結部材６Ａに固定するダブルナット４２と、ねじ体４１の上端に回転自在に設けられた部材４３とを備え、この部材４３に前記伝達部材３２のペダルフレーム側端が接続されている。
【００２０】
前記ペダル５は初期状態において図２に示すように前端側が上方に浮いた状態に保持されており、演奏時に踏込操作されると連結部材２５が復帰用ばね７に抗して引き下げられるため、これと一体に作動ロッド１も下降して上側可動ロッド８Ｂが下側固定シンバル８Ａを打撃する。長さ調整機構３８によりペダル５の初期状態における傾斜角度を調整する場合は、ダブルナット４２を緩めてねじ体４１を回転によって上下動させ、伝達部材３２を上昇させたり引き下げたりすればよい。その結果、ペダル５の傾斜角度、言い換えれば高さを容易に調整することができる。
【００２１】
このような構成からなるハイハットスタンド２０において、ローラリンク３４の揺動中心Ｏと回転体３６Ａ，３６Ｂの回転中心を通る直線上で、前記揺動中心Ｏから各回転体３６Ａ，３６Ｂと伝達部材３２との接触点Ｄ1 ，Ｄ2 までの距離をそれぞれａ、接触点Ｄ1 から接触点Ｄ2 までの距離をＡとし、ペダル５を踏込力Ｐで踏込むと、伝達部材３２が引き下げられるため、ローラリンク３４は点Ｄ2 を揺動支点として下方へ回動する。このときの踏込力Ｐは、作動ロッド１を引き下げる力をＷ（＝Ｆ）とすると、テコの原理により
Ａ×Ｐ＝ａ×Ｗ
の関係が成り立つ。
この場合、Ａ＝２ａであるため、
Ａ×Ｐ＝２ａ×Ｐ＝ａ×Ｗとなる。
この結果、踏込力Ｐは１／２Ｗとなる。
【００２２】
揺動中心Ｏから点Ｄ1 までの距離を２ａに変更し、揺動中心Ｏから点Ｄ2 までの距離をａとした場合は、
Ａ×Ｐ＝３ａ×Ｗ＝ａ×Ｗ
Ｐ＝１／３Ｗ
となる。
【００２３】
このように本発明においては、従来と同じばね力Ｆの復帰用ばね７を用いた場合、作動ロッド１を引き下げるのに要する力Ｗ（＝Ｆ）よりペダル５の踏込力Ｐを小さくでき、図４に示した従来装置と同様にハイハットスタンド２０の演奏性および応答性を向上させることができる。
また、このことは、踏込力Ｐを変えない場合、従来より大きなばね力の復帰用ばね７を使用することができることを意味する。
【００２４】
ここで、本発明においてはテコの原理を応用しているので、支点からのアームの長さが重要になるだけで、２つの回転体３６Ａ，３６Ｂについてはその大きさに関係せず同一のものを使用することができ、また伝達部材３２は１つ用いるだけでよいので、上記した従来装置に比べてこれら部品の種類を少なくすることができる利点を有する。したがって、部品管理が容易で、安価に製作することができる。
また、回転体３６Ａ，３６Ｂが同じ大きさであれば、ペダルフレーム６から回転体３６Ａ，３６ｂまでの間隔を大きく設定することができ、ペダル５の作動距離を大きくすることができる。
【００２５】
【発明の効果】
以上説明したように本発明に係るハイハットスタンドによれば、テコの原理を応用しているので、復帰用ばねのばね力が強くてもペダルを軽く踏めて速く戻すことができる。したがって、微妙なペダル操作が得られ、演奏性および応答性を向上させることができる。また、同じ大きさの２つの回転体と１つの伝達部材を用いればよいので、これら部品の種類が少なく、安価に製作することができ、また部品管理も容易である。
【図面の簡単な説明】
【図１】  本発明に係るハイハットスタンドの一実施の形態を示す斜視図である。
【図２】  同スタンドの要部の断面図である。
【図３】  要部の側面図である。
【図４】  従来のハイハットスタンドの概念図である。
【符号の説明】
１…作動ロッド、４Ａ，４Ｂ…チェーン、５…ペダル、６…ペダルフレーム、７…復帰用ばね、８Ａ…下側固定シンバル、８Ｂ…上側可動シンバル、２０…ハイハットスタンド、２３…ばね装置、２４…ペダル装置、３２…伝達部材、３４…ローラリンク、３５…回動軸、３６Ａ，３６Ｂ…回転体、３８…長さ調整機構。
【図１】
0003677943.tif 000002
【図２】
0003677943.tif 000003
【図３】
0003677943.tif 000004
【図４】
0003677943.tif 000005